(57)【要約】【課題】  外部からの伝送機能に障害が発生し、リレーのオンオフを制御する外部信号が入力されなくなっても負荷に電源を供給可能な電源装置およびこの電源装置を具備する負荷制御システムを提供する。【解決手段】  電源装置２は、交流電源Ｖｓに接続され、交流電源Ｖｓの入力をオンオフするブレーカ６と、ブレーカ６の出力側に接続され、交流電源Ｖｓの供給をオンオフするリレー７と、リレー７のオンオフを制御する外部信号を入力し、外部信号に応じてリレー７をオンオフ制御し、外部信号の入力が異常であるときにブレーカ６が所定時間内にオン状態から所定回数オフオンされると当該ブレーカ６に接続されたリレー７をオン制御する制御部８と、を具備している。【選択図】図１
2016058134.tif 000002
【特許請求の範囲】
【請求項１】
交流電源に接続され、前記交流電源の入力をオンオフするブレーカと；
このブレーカの出力側に接続され、前記交流電源の供給をオンオフするリレーと；
このリレーのオンオフを制御する外部信号を入力し、この外部信号に応じて前記リレーをオンオフ制御し、前記外部信号の入力が異常であるときに前記ブレーカが所定時間内にオン状態から所定回数オフオンされると前記ブレーカに接続された前記リレーをオン制御する制御部と；
を具備していることを特徴とする電源装置。
【請求項２】
前記制御部は、前記ブレーカの出力電圧を入力し、この出力電圧の遮断時間および遮断回数を検出して前記所定時間内であるか否かおよび前記所定回数を判定することを特徴とする請求項１記載の電源装置。
【請求項３】
リレーは、ラッチリレーであることを特徴とする請求項１または２記載の電源装置。
【請求項４】
請求項１ないし３いずれか一記載の電源装置と；
この電源装置の前記制御部に外部信号を送信する操作装置と；
前記電源装置の前記リレーの後段側に接続される負荷と；
を具備していることを特徴とする負荷制御システム。
【発明の詳細な説明】
【技術分野】
【０００１】
本発明の実施形態は、負荷への電源の供給をオンオフする電源装置および負荷制御システムに関する。
【背景技術】
【０００２】
舞台やスタジオ等の演出照明には、多数の照明負荷が設けられている。照明負荷は、例えば調光盤に設けられた電源装置により、点灯、消灯および調光されている。すなわち、照明負荷が電球の場合には、調光盤に調光器が設けられており、この調光器は、調光卓など調光操作装置から送信された調光信号（外部信号）に応じて、照明負荷を点灯、消灯または調光させている（例えば特許文献１参照。）。
【０００３】
近年、照明負荷は、長寿命、省電力、低発熱量や色光の容易化などの利点を有するＬＥＤ（発光ダイオード）が用いられている。このＬＥＤを搭載する照明器具は、調光信号を受信する制御装置およびＬＥＤを点灯する点灯装置を内蔵している。そして、調光盤には、調光操作装置から送信された調光信号を各照明器具に分配するスプリッタおよび各照明器具の点灯装置への電源の供給をオンオフする電源装置が配設されている（例えば特許文献２参照。）。電源装置は、リレーを有して構成され、このリレーを調光信号（外部信号）に応じてオンオフ制御することにより、照明器具側へ電源をオンオフしている。
【先行技術文献】
【特許文献】
【０００４】
【特許文献１】特開２００９−１１０９１２号公報（第３頁、第１図）
【特許文献２】特開２０１３−５１１３９号公報（第４−６頁、第１図）
【発明の概要】
【発明が解決しようとする課題】
【０００５】
しかしながら、電源装置は、調光操作装置が例えばシステムダウンし、調光操作装置から調光信号（外部信号）が送信されなくなると、リレーのオンオフを制御することができず、照明器具に電源供給できなくなる場合がある。
【０００６】
本実施形態は、外部からの伝送機能に障害が発生し、リレーのオンオフを制御する外部信号が入力されなくなっても負荷に電源を供給可能な電源装置およびこの電源装置を具備する負荷制御システムを提供することを目的とする。
【課題を解決するための手段】
【０００７】
本実施形態の電源装置は、ブレーカ、リレーおよび制御部を有して構成される。ブレーカは、交流電源に接続され、交流電源の入力をオンオフする。リレーは、ブレーカの出力側に接続されて、交流電源の供給をオンオフする。
【０００８】
制御部は、リレーのオンオフを制御する外部信号を入力し、外部信号に応じてリレーをオンオフ制御する。そして、制御部は、外部信号の入力が異常であるときにブレーカが所定時間内にオン状態から所定回数オフオンされると、当該ブレーカに接続されたリレーをオン制御する。
【発明の効果】
【０００９】
本実施形態の電源装置によれば、外部信号の伝送に障害が発生して制御部への外部信号の入力が異常になっても、ブレーカを所定時間内にオン状態から所定回数オフオンすることにより、制御部が当該ブレーカに接続されたリレーをオン制御するので、リレーに接続される負荷への電源供給をバックアップすることができる。
【図面の簡単な説明】
【００１０】
【図１】本発明の実施形態を示す負荷制御システムの概略ブロック図である。
【図２】同上、電源装置の一系統の概略回路図である。
【図３】同上、電源装置であり、（ａ）は内部を示す概略上面図、（ｂ）は概略正面図である。
【図４】同上、電源盤の内部を示す概略正面図である。
【発明を実施するための形態】
【００１１】
以下、本発明の一実施形態について、図面を参照して説明する。
【００１２】
本実施形態の負荷制御システム１は、図１に示すように、電源装置２、操作装置３および負荷４を有して構成される。電源装置２は、主ブレーカ５を介して交流電源Ｖｓに接続され、交流電源Ｖｓの負荷４への供給をオンオフするものである。操作装置３は、交流電源Ｖｓが負荷４に供給され、または交流電源Ｖｓの負荷４への供給が遮断されるように電源装置２を制御するものである。負荷４は、交流電源Ｖｓを入力することにより、動作して、所定の機能を出力するものである。交流電源Ｖｓは、商用交流電源や自家発電用交流電源など、特に問わない。  
【００１３】
負荷制御システム１は、一例として、照明制御システムとして運用することが可能である。この場合、操作装置３は、調光信号を送信する例えば調光操作卓であり、負荷４は、例えば、光源としての不図示のＬＥＤおよびこのＬＥＤを調光点灯する不図示の点灯装置を搭載する照明器具である。調光操作卓から送信される調光信号は、外部信号であり、電源装置２に対して交流電源Ｖｓの負荷４への供給をオンオフさせるオンオフ制御信号と、照明器具の点灯装置に対してＬＥＤの光出力を可変する調光制御信号とを包含する。点灯装置は、調光器の機能を有する。調光信号は、電源装置２に送信されるとともに、各照明器具の点灯装置に不図示の伝送線を介して送信される。  
【００１４】
そして、本実施形態の電源装置２は、ブレーカ６、リレー７、制御部としての制御回路８、入力部９、出力部１０、入力電圧検出部１１および出力電圧検出部１２を有して形成されている。ブレーカ６およびリレー７は、それぞれ汎用品が用いられている。これらは、ブレーカ６を前段側とし、リレー７を後段側として、入力部９および出力部１０の間に設けられている。ブレーカ６は、分岐ブレーカとして機能し、手動操作により電源装置２への交流電源Ｖｓの入力をオンオフする。  
【００１５】
入力部９は、主ブレーカ５とブレーカ６とを電気接続するものであり、端子やコネクタなどの電気接続手段に形成される。また、出力部１０は、リレー７と負荷４とを電気接続するものであり、入力部９と同様に端子やコネクタなどの電気接続手段に形成される。本実施形態では、入力部９および出力部１０は、それぞれ端子である。入力部９および主ブレーカ５は、コネクタ１３により電気接続され、出力部１０および負荷４は、コネクタ１４により電気接続されている。負荷４は、出力部１０を介してリレー７の後段側に接続されている。そして、入力部９および出力部１０の間にブレーカ６およびリレー７が直列接続されている。  
【００１６】
入力電圧検出部１１は、入力部９およびブレーカ６の間に設けられ、出力電圧検出部１２は、ブレーカ６およびリレー７の間に設けられている。入力電圧検出部１１は、ブレーカ６の入力電圧を検出して制御回路８に入力している。また、出力電圧検出部１２は、ブレーカ６の出力電圧を検出して制御回路８に入力している。  
【００１７】
そして、本実施形態では、例えば１個の入力部９および３個の出力部１０が１組となり、この１組の入力部９および各出力部１０と、入力部９および各出力部１０の間にそれぞれ設けられるブレーカ６およびリレー７と、１個の制御回路８とを有して１個の電源ユニット１５を形成している。電源ユニット１５は、３系統で負荷４が接続される。なお、電源ユニット１５において、入力部９は１個である必要はなく、出力部１０に対応した数量であってもよい。  
【００１８】
電源ユニット１５は、図３（ａ）に示すように、略直方体の箱状に形成された枠体１６内にブレーカ６、リレー７および制御回路８を配設している。制御回路８は、平板状の基板に電子部品等を実装して形成されている。ブレーカ６は、図３（ｂ）に示すように、そのハンドル６ａが枠体１６の前面１６ａ側に露出するように設けられている。また、枠体１６の前面１６ａ側には、３個の出力部１０が露出するように設けられている。出力部１０は、一対の出力端子１０ａ，１０ｂからなっている。  
【００１９】
図３（ａ）に示すように、枠体１６の背面１６ｂ側には、入力部９および制御用コネクタ１７が配設されている。入力部９は、一対の入力端子９ａ，９ｂからなっている。制御用コネクタ１７は、制御回路８に電気接続されており、操作装置３に電気接続される。また、枠体１６の両側面１６ｃ，１６ｃ側には、図３（ｂ）に示すように、それぞれ取付孔１８を有する平板状の取付片１９が設けられている。  
【００２０】
そして、電源ユニット１５は、図４に示すように、開閉用扉２０，２０が設けられた電源盤（調光盤）２１内に多数個が配設されている。電源盤２１は、大型の箱状に形成されている。多数個の電源ユニット１５は、その長手方向を電源盤２１の水平方向にして、電源盤２１の上下方向に並設されている。電源ユニット１５は、その取付片１９の取付孔１８を通したねじを電源盤２１内の不図示の取付枠にねじ込むことにより取り付けられている。  
【００２１】
図１において、電源装置２は、各電源ユニット１５の各リレー７が当該電源ユニット１５の制御回路８によりオンオフ制御される。制御回路８は、不図示のマイコン等を有してなり、図３に示す制御用コネクタ１７を介して伝送線２２により操作装置３との間で送受信する。  
【００２２】
ブレーカ６は、図２に示すように、２極を有してなり、その入力側が入力部９としての入力端子９ａ，９ｂに接続されている。入力端子９ａは、ブレーカ６およびリレー７を介して出力部１０としての出力端子１０ａに接続され、入力端子９ｂは、ブレーカ６を介して出力部１０としての出力端子１０ｂに接続されている。  
【００２３】
リレー７は、例えば１極の開閉用の接点を有するものであり、当該接点が入力端子９ａおよび出力端子１０ａの電源ライン上に設けられている。また、リレー７は、そのリレーコイル７ａの両端が制御回路８に接続されている。リレーコイル７ａは、本実施形態では、セット用コイルとリセット用コイルからなっている。すなわち、リレー７は、ラッチリレーであり、セット用コイルが制御回路８から一定時間に亘って通電されると、前記接点が閉成し、リセット用コイルが制御回路８から一定時間に亘って通電されると、前記接点が開成する。  
【００２４】
こうして、リレー７は、入力端子９ａ，９ｂおよび出力端子１０ａ，１０ｂの間において、ブレーカ６の出力側に設けられ、ブレーカ６がオン操作されているときに、制御回路８の制御により、入力端子９ａ，９ｂおよび出力端子１０ａ，１０ｂの電気接続をオンオフする。このオンオフにより、負荷４への交流電源Ｖｓの供給がオンオフされる。  
【００２５】
制御回路８は、伝送線２２により操作装置３に接続され、操作装置３からリレー７のオンオフを制御する外部信号（オンオフ制御信号）を常時入力する。そして、外部信号がオン制御信号であると、リレー７のセット用コイルに一定時間通電してリレー６をオンさせ、外部信号がオフ制御信号であると、リレー７のリセット用コイルに一定時間通電してリレー７をオフさせるように制御する。すなわち、制御回路８は、外部信号に応じてリレー７をオンオフ制御する。  
【００２６】
また、制御回路８は、入力電圧検出部１１に接続され、ブレーカ６の入力電圧（交流電源Ｖｓの交流電圧）を検出（入力）し、出力電圧検出部１２に接続され、ブレーカ６の出力電圧（交流電源Ｖｓの交流電圧）を検出（入力）する。制御回路８は、ブレーカ６の出力電圧値でブレーカ６のオンオフを検出する。  
【００２７】
そして、制御回路８は、伝送線２２から入力する外部信号が異常であるときに、ブレーカ６が所定時間内にオン状態から所定回数オフオンにされると、リレー７をオン制御するように形成されている。ここで、外部信号が異常であるとは、外部信号の入力が無いことや外部信号が断続的などの不安定に入力されること等を意味する。また、所定回数は、複数回であってもよく、１回であってもよい。複数回の回数は、特定の回数例えば２回または３回であってもよく、不特定の回数（２回以上の回数）であってもよい。制御回路８は、所定回数が複数回であると、ブレーカ６が誤ってオフオン操作されたときに、当該誤操作によってリレー７をオン制御することを防止または抑制することができる。  
【００２８】
また、制御回路８は、図１に示すように、外部信号に応じて電源ユニット１５の３系統のリレー７のオンオフを制御するとともに、各系統のブレーカ６の入力電圧および出力電圧を検出している。  
【００２９】
次に、本発明の第１の実施形態の作用について述べる。  
【００３０】
電源装置２は、電源ユニット１５毎に、入力端子９ａ，９ｂがコネクタ１３により主ブレーカ５に接続され、出力端子１０ａ，１０ｂがコネクタ１４により負荷４に接続される。そして、主ブレーカ５をオン（投入）すると、交流電源Ｖｓが各電源ユニット１５の入力端子９ａ，９ｂに入力する。  
【００３１】
各電源ユニット１５の制御回路８は、ブレーカ６がオン（投入）されていると制御動作を開始する。制御回路８は、電源ユニット１５の３系統において、入力電圧検出部１１からブレーカ６の入力電圧を検出し、出力電圧検出部１２からブレーカ６の出力電圧を検出する。さらに、制御回路８は、操作装置３から送信された外部信号（オンオフ制御信号）を常時入力する。  
【００３２】
そして、制御回路８は、外部信号に応じて各系統のリレー７をオンオフ制御する。すなわち、外部信号がオン制御信号のときには、リレー７のセット用コイルに一定時間に亘って電流を供給してリレー７をオンさせ、外部信号がオフ制御信号のときには、リレー７のリセット用コイルに一定時間に亘って電流を供給してリレー７をオフさせる。リレー７は、ラッチリレーであるので、セット用コイルに通電されると、オンが機械的に保持され、さらにリセット用コイルに通電されると、オン状態が反転してオフが機械的に保持される。  
【００３３】
リレー７がオンすると、リレー７の後段側の負荷４に交流電源Ｖｓが供給される。これにより、負荷４であるＬＥＤ照明器具は、所定の動作をして、例えば白色光を放射する。リレー７がオフすると、負荷４に交流電源Ｖｓが供給されなくなる。  
【００３４】
ところで、操作装置３が例えばシステムダウンして、操作装置３から外部信号（調光信号）が送信されなくなることがある。また、伝送線２２の断線や電気接続不良により、外部信号が制御回路８に入力されなくなることがある。これらの場合、制御回路８は、リレー７のオンオフ制御をすることができなくなり、負荷４への交流電源Ｖｓの供給を制御できなくなる。  
【００３５】
また、例えば、操作装置３が不安定に動作したり、伝送線２２の電気接続が不確実であると、制御回路８に外部信号が常時入力されずに、断続的に又は不安定に入力することがある。この場合、負荷４へ交流電源Ｖｓの供給が断続的又は不安定となり、スタジオ等の照明に支障を来たすことになる。  
【００３６】
このときには、制御対象の負荷４に対応する電源ユニット１５の各ブレーカ６に対して、ブレーカ６を所定時間内にオン状態からオフしてオンにする。このオフオン操作は、本実施形態では、所定時間内に複数回（所定回数）行う。また、オフオン操作は、オン状態を保持しているリレー７が接続されているブレーカ６に対しては行う必要がなく、オフ状態のリレー７が接続されているブレーカ６に対してのみ行う。  
【００３７】
制御回路８は、各ブレーカ６のオンオフ操作を出力電圧検出部１２から入力した出力電圧により検出し、所定時間を出力電圧の遮断時間（零電圧の時間）を計時して求めるとともに、所定回数を出力電圧の遮断をカウントして求める。すなわち、制御回路８は、入力電圧が交流電源Ｖｓの交流電圧であるときに、出力電圧値によりブレーカ６のオンまたはオフを判定し、出力電圧の零電圧の期間によりブレーカ６の遮断時間を判定し、出力電圧の遮断回数によりブレーカ６の遮断回数を判定する。そして、遮断時間の累計値が所定時間内であるときに遮断回数が所定回数であるか否かを判定する。  
【００３８】
制御回路８は、ブレーカ６が所定時間内に所定回数オフオンされると、当該ブ
レーカ６に接続されているリレー７をオンするように制御する。これにより、交流電源Ｖｓが出力端子１０ａ，１０ｂから負荷４に供給される。負荷４であるＬＥＤ照明器具により、スタジオ等の照明が行われる。そして、負荷４に交流電源Ｖｓを供給させなくするには、所定時間を超えて、ブレーカ６をオフする。こうして、電源装置２は、例えば操作装置３がシステムダウンしても、負荷４に交流電源Ｖｓを供給することができる。
【００３９】
本実施形態の電源装置２によれば、例えば操作装置３がシステムダウンして制御回路８に外部信号が入力されなくなっても、ブレーカ６を所定時間内にオン状態から所定回数オフオンすることにより、制御回路８がリレー７をオン制御するので、リレー７の後段側に接続される負荷４への電源供給をバックアップすることができるという効果を有する。
【００４０】
また、制御回路８は、ブレーカ６の出力電圧を入力し、出力電圧の遮断時間および遮断回数を検出して、ブレーカ６のオフオンの期間が所定時間内であるか否かおよびブレーカ６のオフオンの回数が所定回数であるか否かを判定するで、簡素な構成でブレーカ６のオフオンに対する所定時間および所定回数を求めることができて、これにより、電源装置２を安価にできるという効果を有する。
【００４１】
また、リレー７は、ラッチリレーであるので、外部信号の入力が異常であるときに、オン状態を保持しているリレー７が接続されているブレーカ６に対してオフオン操作を行う必要がなく、これにより、ブレーカ６のオフオン操作に対する省力化を図ることができるという効果を有する。
【００４２】
そして、本実施形態の負荷制御システム１は、外部信号の入力が異常であるときに、ブレーカ６を所定時間内にオン状態から所定回数オフオンすることによりリレー７をオン制御できる電源装置２を具備するので、例えば操作装置３がシステムダウンして操作装置３から外部信号が送信されなくなっても、負荷４への交流電源Ｖｓの供給をバックアップできるという効果を有する。
【００４３】
なお、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００４４】
１…負荷制御システム、  ２…電源装置、  ３…操作装置、  ４…負荷、  ６…ブレーカ、  ７…リレー、  ８…制御部としての制御回路
【図１】
2016058134.tif 000003
【図２】
2016058134.tif 000004
【図３】
2016058134.tif 000005
【図４】
2016058134.tif 000006